(57)【特許請求の範囲】
【請求項１】
シンクと、前記シンクの厨芥排出部に接続されている厨芥粉砕機と、厨芥粉砕物及び水を屋外の浄化槽に排出する配管とを具備している、厨芥粉砕機を備える流し台であって、
前記シンクの裏面に、粘弾性体、拘束層付粘弾性体及び断熱層付粘弾性体からなる群より選ばれた少なくとも一種の制振材が設けられており、前記厨芥排出部と前記厨芥粉砕機とが筒状振動絶縁ゴムを介して連通しており、前記厨芥排出部が取り外し可能な発音孔のない遮音蓋で覆われており、前記遮音蓋が前記厨芥粉砕機に給水するための給水管を備えており、前記遮音蓋をセットすると同時に、前記厨芥粉砕機が作動することを特徴とする、厨芥粉砕機を備える流し台。
【請求項２】
シンクと、前記シンクの厨芥排出部に接続されている厨芥粉砕機と、厨芥粉砕物及び水を屋外の浄化槽に排出する配管とを具備している、厨芥粉砕機を備える流し台であって、
前記シンクの裏面全面に、粘弾性体、拘束層付粘弾性体及び断熱層付粘弾性体からなる群より選ばれた少なくとも一種の制振材が設けられており、前記厨芥排出部と前記厨芥粉砕機とが筒状振動絶縁ゴムを介して連通しており、前記厨芥排出部が取り外し可能な発音孔のない遮音蓋で覆われており、前記厨芥粉砕機が給水のための給水管を備えており、前記遮音蓋をセットすると同時に、前記厨芥粉砕機が作動することを特徴とする、厨芥粉砕機を備える流し台。
【請求項３】
前記流し台に複数の区画が設けられており、前記厨芥粉砕機が設置されている厨芥粉砕区画、前記厨芥粉砕区画に隣接する隣接区画及び前記厨芥粉砕区画の底板又は前記隣接区画の底板と前記流し台を設置する床との間の区画の少なくとも一区画内に、共鳴器が設けられていることを特徴とする、請求項１又は２記載の厨芥粉砕機を備える流し台。
【請求項４】
前記流し台に複数の区画が設けられており、前記厨芥粉砕機が設置されている厨芥粉砕区画内に、前記厨芥粉砕機又は前記厨芥粉砕機と配管とを囲う防音箱を設け、前記防音箱が、遮音材、吸音材、制振材、反射材及び共鳴器のうち少なくとも二種を併用して形成されていることを特徴とする、請求項１又は２記載の厨芥粉砕機を備える流し台。
【請求項５】
前記厨芥粉砕機の外周に、粘着層、粘弾性体層及び吸音層からなる群より選ばれた少なくとも一種の防音層と、遮音層とが設けられていることを特徴とする、請求項１又は２記載の厨芥粉砕機を備える流し台。
【請求項６】
前記流し台に複数の区画が設けられており、前記厨芥粉砕機が設置されている厨芥粉砕区画内で、前記シンクの裏面に板状体が設けられており、前記板状体が前記シンクの側面と前記厨芥粉砕区画とによって囲まれている空間を形成しており、前記空間内に、吸音材、反射材及び共鳴器が設けられていることを特徴とする、請求項１又は２記載の厨芥粉砕機を備える流し台。
【請求項７】
前記流し台の背面と躯体との間に、吸音材、ゴム又はプラスチックからなる遮音材及び石膏ボード又は合板からなる板材の積層体が介在していることを特徴とする、請求項１又は２記載の厨芥粉砕機を備える流し台。
【請求項８】
前記流し台に複数の区画が設けられており、前記厨芥粉砕機が設置されている厨芥粉砕区画の正面、側面、上面及び底面の少なくとも三面が有孔材、遮音シート、吸音材及び板材の積層体から形成されていることを特徴とする、請求項１又は２記載の厨芥粉砕機を備える流し台。
【請求項９】
前記厨芥粉砕機と前記配管との間、前記配管の途中及び前記流し台の底板と前記流し台を設置する床との間の少なくとも一箇所に振動絶縁材を設けることを特徴とする、請求項１又は２記載の厨芥粉砕機を備える流し台。
【発明の詳細な説明】
【０００１】
【発明の属する技術分野】
本発明は、シンクと、前記シンクの厨芥排出部に接続されている厨芥粉砕機と、厨芥粉砕物及び水を屋外の浄化槽に排出する配管とを具備している、厨芥粉砕機を備える流し台に関する。
【０００２】
【従来の技術】
厨芥は、台所で調理された時に発生する所謂、生ゴミであり、それ等には、野菜屑、魚、鳥、牛等の骨、貝や牡蠣の殻、果物の皮、各種料理の残り物等が含まれ、その種類は多岐にわたる。
【０００３】
従来、厨芥は、各家庭の流し台のシンク排出口のかごで受け、そのカゴの中の厨芥を別容器に入れておき、定期的にくるゴミ集荷日に合わせて各家庭から持ち出し、ごみ搬出車で収集され一括して処理されていた。
【０００４】
厨芥は、通常の家庭では、朝、昼、晩と調理し、かつ食後の食器等の洗いものを済ませた後、シンク排出口のカゴの厨芥を別容器に入れ、料理の材料によっては、調理中も厨芥を処理する場合も度々あり、手間であると同時に、かごは、頻繁に洗わないと不衛生になるので、これも手間であった。また、ゴミ集荷日は毎日ではないので、特に、夏は臭くなり、厨芥を屋外に持ち出す必要があった。
【０００５】
そこで、フタ付きポリ容器の底のない物を土中に埋め、その中に厨芥を入れて処理する方法が考えられたが、この方法は畑や庭が必要であり、見た目も悪いので庭でも裏庭の目立ない所での処理が必要となり、広く普及するには至らなかった。
【０００６】
また、近年、厨芥処理専用機が市販され、環境に関心の高い人々は使用しているが、これとて、シンク排出口からカゴを取り出して、厨芥処理機に投入する必要があり、従来方法と比べ保管中の厨芥発生量はなくなり、社会的には大きな貢献になるものの、利用者にとっては臭気の問題が解消されたに過ぎない。
【０００７】
ところが、最近、シンクのカゴ設置部に粉砕機を取り付け、厨芥が発生した都度、シンクの排出口から落とした厨芥を粉砕処理して、排水と共に浄化槽に流し込み、浄化槽から下水道に流せる水質にして、下水道に流すシステムがつくられた。かかるシステムは、環境への負荷も少なく、個別の厨芥発生量も抑えられ、画期的である。
【０００８】
【発明が解決しようとする課題】
しかし、厨芥には、魚、鳥、牛等の骨や貝類も含まれ、これ等を処理すると非常に大きな騒音が発生し、特に、アパートや密集住宅地では、隣戸にまで騒音で迷惑をかけるという問題がある。また、家庭内でも台所に近い部屋では、非常に気になる音である。
【０００９】
厨芥のうち、特に、骨類や貝殻等の硬い物は、粉砕処理をする上で大きな衝撃がかかり、それに伴って非常に大きな音が発生する。かかる場合、特に、集合住宅に於いては、隣戸にまで大きな音が伝播するだけでなく、音源位置を特定できる程に騒音が大きい。
【００１０】
この原因は、粉砕機自体により発生する騒音が大きく、かつ、流し台に取り付けした時に、粉砕機がシンクを振動させて大きな音が生じる点が挙げられる。
【００１１】
また、かかる厨芥粉砕機では、粉砕時に粉砕物による配管の閉塞を防ぐ上で、連続給水する必要があり、シンクに給水し、シンク排水口を通って粉砕機に注水する為に、シンク排水口の蓋には、粉砕部と連通する穴が多数設けられており、そこからの音漏れも生じる。
【００１２】
さらに、本来、流し台は、機械的な騒音や振動が生じる機器を組込む前提で作られていないので、防音・防振対策が採られないことが挙げられる。
【００１３】
かかる厨芥粉砕機は、様々な機種が考案されているが、厨芥の種類や硬軟等の要因も多岐にわたるためもあって、何れの機種も、鳥骨を入れて粉砕すると非常に大きな騒音が発生し、隣戸から音源位置が特定できる程に騒音が大きい。しかも、かかる騒音は、粉砕機構により多少の差があるものの、１オクダーブバンドで見ると、低減し難い６３Ｈｚや１２５Ｈｚの低周波数成分が高いという特徴がある。
【００１４】
このように、厨芥粉砕機の騒音対策は必要不可決であるにも拘わず、静音タイプの粉砕機は上市されるに至っていない。
【００１５】
各家庭から日々大量に排出される厨芥を家庭外のゴミ集荷場まで搬出することなく、流し台に厨芥処理機能をもたせ、かつ、排水と共に家庭内の浄化槽に集め、そこで排水処理し、下水道に流せる水質にして下水道に流すという、厨芥粉砕機を備える流し台であって、かつ、その唯一最大の欠点といえる大きな騒音を低減した流し台の開発が待ち望まれている。
【００１６】
本発明は、厨芥粉砕機の騒音を低減するのはもちろんのこと、安全でしかも効率よく厨芥を粉砕することができる流し台を得ることを課題とする。
【００１７】
【課題を解決するための手段】
本発明は、シンクと、前記シンクの厨芥排出部に接続されている厨芥粉砕機と、厨芥粉砕物及び水を屋外の浄化槽に排出する配管とを具備している、厨芥粉砕機を備える流し台であって、前記シンクの裏面に、粘弾性体、拘束層付粘弾性体及び断熱層付粘弾性体からなる群より選ばれた少なくとも一種の制振材が設けられており、前記厨芥排出部と前記厨芥粉砕機とが筒状振動絶縁ゴムを介して連通しており、前記厨芥排出部が取り外し可能な発音孔のない遮音蓋で覆われており、前記遮音蓋が前記厨芥粉砕機に給水するための給水管を備えており、前記遮音蓋をセットすると同時に、前記厨芥粉砕機が作動することを特徴とする、厨芥粉砕機を備える流し台である。
【００１８】
また、本発明は、シンクと、前記シンクの厨芥排出部に接続されている厨芥粉砕機と、厨芥粉砕物及び水を屋外の浄化槽に排出する配管とを具備している、厨芥粉砕機を備える流し台であって、前記シンクの裏面全面に、粘弾性体、拘束層付粘弾性体及び断熱層付粘弾性体からなる群より選ばれた少なくとも一種の制振材が設けられており、前記厨芥排出部と前記厨芥粉砕機とが筒状振動絶縁ゴムを介して連通しており、前記厨芥排出部が取り外し可能な発音孔のない遮音蓋で覆われており、前記厨芥粉砕機が給水のための給水管を備えており、前記遮音蓋をセットすると同時に、前記厨芥粉砕機が作動することを特徴とする、厨芥粉砕機を備える流し台である。
【００１９】
本発明者は、効率的に厨芥を粉砕する流し台を得るため、種々の流し台を試作し検討して、数多くの実験を重ねた。その結果、本発明者は、シンクの厨芥排出部に設けられる蓋に、厨芥粉砕機のスイッチの機能をもたせるとともに、この蓋の発音孔をなくして遮音性の蓋とし、厨芥粉砕機専用の給水管を設けることによって、安全でしかも効率的で、低騒音に厨芥を粉砕できることを突き止め、本発明を達成した。
【００２０】
本発明では、シンクの厨芥排出部が取り外し可能な遮音蓋によって覆われている。かかる遮音蓋には、厨芥粉砕機のスイッチの機能が備わっており、遮音蓋をセットすることによって、はじめて厨芥粉砕機のスイッチが入り、厨芥粉砕機が作動する。
【００２１】
かかる流し台によれば、厨芥排出部が遮音蓋で覆われない限り、厨芥粉砕機が作動することはなく、厨芥排出部が開放した状態で作動したり、人為的な誤作動がなくなり、極めて安全に効率よく厨芥を粉砕することができる。
【００２２】
しかも、かかる流し台によれば、厨芥排出部が、発音孔のない遮音蓋によって覆われ、かかる遮音蓋で閉じられた状態でしか厨芥粉砕機が作動しないので、粉砕時に厨芥粉砕機内で生じる騒音が外部に漏れることがなく、極めて低騒音で厨芥を粉砕することができる。
【００２３】
また、本発明では、厨芥粉砕機に専用の給水管によって給水するので、給水操作を厨芥粉砕機と連動させることができる。粉砕操作と給水操作とを連動させることにより、厨芥量や粉砕状態に応じて、給水量を調節することができ、極めて効率的に厨芥を粉砕することができる。
【００２４】
【発明の実施の形態】
図面を参照して、本発明の実施の形態を説明する。
図１は、本発明の一例の流し台の縦断面図である。図１に示すように、本発明の一例の流し台１は、シンク２と、シンク２の厨芥排出部２ａに接続されている厨芥粉砕機３と、厨芥粉砕物及び水を屋外の浄化槽に排出する配管４とを具備している、厨芥粉砕機を備える流し台である。
【００２５】
この流し台１では、シンク２の裏面に、粘弾性体、拘束層付粘弾性体及び断熱層付粘弾性体からなる群より選ばれた少なくとも一種の制振材５が設けられている。
【００２６】
また、この流し台１では、厨芥排出部２ａと厨芥粉砕機３とが、筒状振動絶縁ゴム６を介して連通しており、厨芥排出部２ａが取り外し可能な遮音蓋７で覆われている。この遮音蓋７は、厨芥粉砕機３に給水するための給水管８を備えており、厨芥粉砕機３は、遮音蓋７をセットすると同時に作動する。
【００２７】
本発明の必須の構成は、厨芥を下部から排出するに充分な排出口を備えたシンクと、厨芥を粉砕する厨芥粉砕機と、粉砕物と水とを共に排出する配管とを備える。配管は、台所排水を下水に排出できる水質に処理するための屋外の浄化槽に繋がる。
【００２８】
本発明では、種々の防音材を用いて、流し台に設置した厨芥粉砕機が粉砕時に発生させる騒音を低減することが重要である。その場合、ニ通りの対策方法が考えられる。つまり、鳥骨等の硬い物の粉砕頻度は多くないが、隣戸への迷惑をかけないレベルまで低減すること、次いで、粉砕機を設置した家庭内で発生する騒音を低減することである。本発明では、前者を優先して検討し、後者をも十分満足される条件を、多くの実験を行って突き止めた。
【００２９】
騒音対策は屋内に設置される流し台に対して行う。厨芥処理機能を有する粉砕機を設けた流し台の騒音発生機構としては、（１）厨芥粉砕機で粉砕する時の発生音、（２）粉砕機の振動タンクを振動させてシンクから発生する音、（３）粉砕機の収納スペースからの透過音、（４）粉砕機の接続配管や床、壁、接続した台所設備に伝播した振動に起因する音、（５）粉砕機の上部の厨芥排出部の蓋からの音が挙げられる。
【００３０】
本発明では、上記（１）〜（４）に対しては、制振材、吸音材、遮音材、振動絶縁材、共鳴器、反射板等を単独又は併用して用いて対策することができる。また、（５）の対策としては、粉砕機への注水口のみの開口を有する遮音蓋をするか、シンクの厨芥排出部に完全密閉型の蓋とし、粉砕機の粉砕機構部に注水可能な注水口を設けることにより、粉砕時の音漏れを防ぐことができる。
【００３１】
さらに、このような遮音蓋を厨芥排出部にセットして始めて粉砕機が作動する機構を組み込んでおくことにより、防音効果も保証されかつ粉砕機で指等をけがする危険性もなくなるため、安全である。
【００３２】
かかる遮音蓋に、厨芥粉砕機のスイッチの機能をもたせるためには、種々の仕組みを用いることができる。例えば、マグネット式の遮音蓋を用い、シンクの厨芥排出口にセットされると同時に通電し、厨芥粉砕機が作動するような構成とすることができる。
【００３３】
従来から、シンクの厨芥排出部には蓋がある。しかし、その蓋には、厨芥粉砕機が必要とする水を、粉砕時に供給する必要があり、注水孔が多数設けられている。そのため、かかる蓋では、注水孔が発音孔となり、そこから粉砕時の音が漏れてしまう。
【００３４】
本発明では、厨芥粉砕機からの音漏れを完全に止める手段として、音漏れのない、密閉型の遮音蓋を用いる。厨芥粉砕機に必要な水は、遮音蓋に設ける注水配管や、粉砕機構に直接設ける給水管を通して供給することができる。
【００３５】
また、かかる給水配管は、シンクの厨芥排水部と厨芥粉砕機とを連結する筒状の振動絶縁ゴムに設けて、粉砕機上部のシンクの排出部に穴のない遮音蓋を設けることもできる。かかる筒状の振動絶縁ゴムとしては、給水口金付筒型振動絶縁ゴムを用いることができる。
【００３６】
本発明にかかる騒音の解決方法として、粉砕機の接続しているシンク裏面に粘弾性体、片面拘束層付粘弾性体、断熱層付粘弾性体のいずれかを設けること、及びシンクの厨芥排出口と粉砕機の間及び配管の途中又は粉砕機と配管の間に振動絶縁材を設けることにより、発生騒音を大きく低減させることができることが確かめられた。
【００３７】
厨芥粉砕機が騒音源であり、振動源でもあるので、粉砕機とシンクの厨芥排出部の間に、振動絶縁材を設けることによって、粉砕機の振動を遮断して流し台から壁・床・隣接する台所設備への振動伝播を防止することができる。
【００３８】
シンクの厨芥排出部と粉砕機が接続されていること、シンクの板厚が薄く、大きく振動する材質であると共にシンクの面積も比較的大きいため、各周波数にわたって大きな音を放射する。このため、本発明では、シンクの裏面に、粘弾性体、片面拘束層付粘弾性体又は断熱層付粘弾性体を取り付けることにより、シンクが制振され、発生音を大幅に低減することができる。
【００３９】
また、本発明では、厨芥粉砕機の騒音を低減するため、流し台に複数の区画を設け、厨芥粉砕機が設置されている厨芥粉砕区画内に、この厨芥粉砕機又はこの厨芥粉砕機と配管とを囲う防音箱を設け、この防音箱を、遮音材、吸音材、制振材、反射材及び共鳴器のうち少なくとも二種を併用して形成することができる。
【００４０】
かかる手段では、厨芥粉砕機が配管と共に、遮音材、吸音材、制振材、共鳴器、反射板のうち二種以上を併用した防音箱で囲われ、厨芥粉砕機や配管を個別に防音処理するよりも大きな容積で防音処理されることになるため、騒音防止効果は高くなる。
【００４１】
本発明で用いる共鳴器は、開口部の半径をｒ、開口部の首の長さをｔ、空洞の容積をＶ，音速をＣとしたとき、
【数１】
0003566609.tif 000002
で示される共鳴周波数（ｆ０）が、１オクダーブバンドで、３１．５Ｈｚ以上２５０Ｈｚ以下に設定することがよく、共鳴周波数を１種だけでなく複数に設定する方が広い周波数帯で効果をだすことができる。
【００４２】
さらに、本発明では、かかる共鳴器を、流し台に複数の区画を設け、厨芥粉砕機が設置されている厨芥粉砕区画、この厨芥粉砕区画に隣接する隣接区画、及びこの厨芥粉砕区画の底板又は隣接区画の底板と流し台を設置する床との間の区画の少なくとも一区画内に、設けることができる。
【００４３】
また、本発明では、流し台に複数の区画を設け、厨芥粉砕機が設置されている厨芥粉砕区画内において、シンクの裏面に板状体を設けることができる。この板状体によってシンクの側面と前記厨芥粉砕区画とによって囲まれている空間を形成し、この空間内に、吸音材、反射材及び共鳴器を設けることができる。
【００４４】
かかる処理は、流し台の内部スペースのうち、利用し難いシンク側面部と、粉砕機設置スペースとの間に板状体を設けて区画を作り、そこに、吸音材や反射板や共鳴器を設けることによって、流し台の上への音の放射を防止することができる。また、かかる処理は、隣戸から音源位置が判ると余計気になる音になるので音源位置を特定し難くする手段として有効である。
【００４５】
さらに、本発明では、流し台の背面と躯体との間に、吸音材、ゴム又はプラスチック等からなる遮音材、又は石膏ボード若しくは合板からなる板材を介在させることによって、特に、音源位置を隣戸で特定し難くなるという効果も生じる。
【００４６】
流し台の背面に吸音材とゴム・プラスチック等からなる遮音材、若しくは、更に石膏ボード、合板等の板材を全面に設けることは、隣戸への空気伝播音を防止し、設置室側へ音を反射させることができるため好ましい。
【００４７】
また、本発明では、厨芥粉砕機のモーター部以外の外周に、粘着層、粘弾性体層及び吸音層からなる群より選ばれた少なくとも一種の防音層と、遮音層とからなる複数層を囲着し、しかも遮音層を最外層とすることで、騒音防止効果を一層改善することができる。
【００４８】
さらに、本発明では、流し台に複数の区画を設け、厨芥粉砕機が設置されている厨芥粉砕区画の正面、側面、上面及び底面の少なくとも三面を、有孔材、遮音シート、吸音材及び板材の積層体から形成することができる。
【００４９】
厨芥粉砕区画を構成する背板、左右の仕切り板又は流し台本体の側面板、床板、扉、天板を、粉砕機側から有孔材、吸音材、遮音シート、板材の順の断面構成とすることによって、粉砕機設置スペース内での吸音・遮音を行うことができ、流し台設置室内の騒音を低減することができる。
【００５０】
また、本発明では、厨芥粉砕機と配管との間、配管の途中及び流し台の底板と流し台を設置する床との間の少なくとも一箇所に振動絶縁材を設けることで、厨芥粉砕機の機種にもよるが、騒音防止効果を高めることができる。厨芥粉砕機によって生じる振動が配管や床に伝播するのを防止できるからである。
【００５１】
このとき、粉砕機の種類によって、流し台の底板に設置するタイプの場合、底板の補強と振動絶縁を行い、底板の振動を極力小さくすることが必要である。
【００５２】
これらの騒音対策方法は、コストの問題もあり、対策のレベルに応じて単独又は数種を併用することが好ましい。
【００５３】
上記手段は、シンク裏面の制振処理と併用すれば良く、ほとんどの機種で、シンク裏面の制振処理と前記の２から３種の手段を併用することで、隣戸への騒音を全く問題のないレベルにまで低減し、流し台設置室でも気にならないレベルに低減できる。
【００５４】
本発明では、種々の騒音防止材を用いることができる。
制振材としては、架橋又は非架橋の粘弾性体を用いることができ、その片面に拘束材を設けた物も良い効果を発揮する。具体的には、ブチルゴム、ポリイソブチレン、ＥＰＴ、ＮＲ、ＩＲ、ＢＲ、ＳＢＲ、ＮＢＲ、アクリルゴム、ポリノルボーネンゴム、ＣＲ等のゴムや、ＳＢＳ、ＳＩＳ、ＳＥＢＳ、ウレタン、ポリエステル、ＥＶＡ等の熱可塑性ラストマーを主要ポリマーとして、単独又は併用して、粘着付与樹脂、軟化剤、充填剤等を混合した物や、各種液状ゴムを架橋剤で架橋した架橋粘弾性体が好適に用いられる。
【００５５】
その具体例としては、ポリブタジエン、水素添加ポリブタジエン、スチレンブタジエン共重合体、ポリイソプレン、クロロプレン、アクリロニトリルブタジエン共重合体を主鎖骨格として分子両末端に水素基、アミノ基、カルボキシル基、アルキルザンセート基等を有するポリマーを例示することができる。
【００５６】
その他に、ポリエーテルポリオール、ポリエステルポリオール、アニリン誘導体ポリオールシリコーン、変性シリコーン、ポリサルファイド等を例示することもでき、それらに、粘着付与樹脂、軟化剤等を配合した物も例示できる。
【００５７】
これらは、片面に拘束材を設けずに非拘束型粘着弾性体であっても良く、片面に拘束材を設けて拘束型粘着弾性体として使用しても良い。
【００５８】
また、制振効果と遮音効果を併せもつように、硫酸バリウム、フェライト、酸化鉄、鉄粉、タングステン粉等の高比重物を混合しても良い。
【００５９】
さらに、吸音効果を発揮させるために、片面に後述の吸音材を設けても良い。また、結露防止の観点から、前記粘弾性体に発泡体等の断熱材を積層して設けても良い。
【００６０】
本発明で用いられる拘束材としては、アルニウム、ステンレス、鉛、銅等の金属箔やシート、ポリエステル、ＥＶＡ、ＰＥ、ＰＰ、塩化ビニル、ナイロン等のフィルムやシート等を例示することができ、これらは、直接か、又はプライマー処理、プラズマ処理等をして貼り合わせても良い。
【００６１】
本発明では、これらの制振材が特に有効である部位は、流し台のシンク裏面、流し台背板、粉砕機本体の外周である。
【００６２】
本発明で用いられる吸音材は、繊維系、発泡体系、多孔質系に大別することができる。繊維系吸音材は、フェルト、不織布、グラスウール、ロックウールを例示することができる。発泡体系吸音材としては、ウレタン、ポリエチレン、ポリプロピレン、ＥＶＡ等のポリマー発泡体、前記液状ゴムの発泡体、前記ゴムの発泡体、アルミニウム発泡体を例示することができる。発泡体系吸音材では、連続気泡の構成比率が高い方が好ましい。多孔質系吸音材は、ゴム、ポリマー、繊維、各種発泡体の粉粒体を、バインダーで連結して成型した物を例示することができる。これら吸音材は、任意の形状で使用することができ、遮音材と併用することもできる。
【００６３】
本発明で用いられる遮音材は、各種ゴム、ポリマーに高比重充填剤を混入した高比重シート、石膏ボード等の無機質板、鉄鉛等の金属のシートや板を、単独又は前記高比重シートと貼り合わせて用いることができる。
【００６４】
本発明では、遮音材は、低周波側の騒音対策に用いる必要があるため、遮音材を有孔シートや有孔板として、その前後に吸音材を設けて対策することも有効である。特に、厨芥粉砕機が設置されている区画の騒音対策として効果がある。
【００６５】
本発明で用いられる振動絶縁材は、ゴム、ゴムやポリマーの発泡体、コルク、フェルト、不織布等を例示することができ、流し台と床や他の隣接する台所設備の間に介在させて振動絶縁する目的に用いる。
【００６６】
本発明では、粉砕機とシンクの接続部に、加硫ゴムのパッキンと筒状の加硫ゴムを用い、共に振動絶縁を行った。但し、パッキンの部分は水密性を優先させている。また、粉砕機と配管又は配管の途中に使用する振動絶縁材は、筒状ゴムや蛇腹状ホースであり、接続して振動絶縁をすることができる。さらに、流し台の収納スペースの底板上に置くタイプは、厚手の板の上に振動絶縁材を介して粉砕機を設けることが好ましく、振動絶縁材は、平板状より断面凹凸状の加硫ゴムが好ましい。
【００６７】
本発明に用いられる反射板は、プラスチック、金属、木質、無機質の板を平板で又は曲げて用いて、音の方向を、反射させて変える物であり、特に、隣室等で音源位置が特定し難くする上で効果がある。
【００６８】
本発明に用いられる共鳴器は、開口部以外は気密になった箱、ビン、壺を例示することができ、その中に吸音材をいれておいても良い。粉砕機とシンク下部との間、透過音を防止するための板状体で仕切られた区画や、流し台の粉砕機設置区画に隣接する区画や、流し台の底板と流し台設置床との区画に共鳴器を設ける場合は、この共鳴器は、板状体、仕切板、又は底板に開口部を設けて形成することができる。また、共鳴器の穴の首の長さを長くする手段として、パイプ状物を穴に設置することも有効である。
【００６９】
本発明に用いられる遮音蓋は、ステンレス、鉄、アルミニウム等の金属や合金でよいが、高比重で肉厚のゴムも、シール性や振動絶縁性の上で良い素材である。また、垂直方向の断面形状は、排出口に差し込む部分以外は径を大きくして、楕円形状のほうが、騒音防止効果が高い。これは、粉砕機からの音が楕円の焦点に集まるためと思われる。
【００７０】
【実施例】
図面を参照して、本発明を実施例に基づいて具体的に説明する。
図２は、本発明の他の例の流し台の縦断面図である。図３は、本発明の更に他の例の流し台の縦断面図である。図４は、図３の流し台のＡ−Ａ線横断面図である。図５は、本発明の更に他の例の流し台の横断面図である。図６は、本発明の更に他の例の流し台の縦断面図である。図７は、本発明の更に他の例の流し台の縦断面図である。図８は、図７の流し台のＢ−Ｂ線横断面図である。
【００７１】
実施例１
図１に示すような流し台を製造した。図１に示すように、流し台１のシンク２には振動絶縁ゴム６を介して粉砕機３が固定されている。粉砕機３で粉砕された厨芥は、トラップ９を通って、排水管４を経由して屋外の浄化槽（図を省略）へ流入する。
【００７２】
流し台１では、厨芥の粉砕時に、水道より厨芥粉砕機３に給水する。給水は、シンク２の厨芥排出部２ａを覆う遮音蓋７に設けられている給水管８を通って、粉砕機３に流れ込む。
【００７３】
防音対策は、シンク２の裏面全面の制振材５による処理と、シンクの側面の吸音材１０による処理と、厨芥排出部２ａと粉砕機３との間の振動絶縁ゴム６による処理と、トラップ９と配管４との間の振動絶縁ゴム１１による処理で行っている。
【００７４】
二つの隣合う残響室において、２室を連結する１０５０ｍｍ×１３００ｍｍの開口部を、１５０ｍｍ厚コンクリートブロックで仕切り、片側の流し台設置室に床１２を設けた後、サンウエーブ社製流し台に、（株）安永製粉砕機を取り付けて床１２に設置した。このとき、流し台１と壁との隙間は３ｍｍとした。
【００７５】
流し台を設置した残響室に給水管及び排水管を通し、流し台及び厨芥粉砕機と接続した。１回の測定のために投入する被粉砕品は、鳥骨１００ｇとし、水道水の供給は、８ｌ／分とした。
【００７６】
流し台の厨芥排出部と粉砕機の間は、早川ゴム（株）製筒型振動絶縁ゴムとゴムパッキンを使用し、粉砕機から排水トラップに接続し、排水トラップと配管の垂直方向で早川ゴム（株）製筒状振動絶縁材を介して接続した。
【００７７】
次に、流し台のシンク裏面全面に、片面アルミ箔付高比重粘弾性体２．２ｍｍ厚、比重１．９０を貼り付けた。また、シンクと流し台の間に６０ｍｍ厚不織布を取付けた。
【００７８】
予じめ用意した鳥骨を厨芥排出部から粉砕機に入れ、遮音蓋をして、給水管から粉砕機に給水しながら、鳥骨を粉砕した。騒音は両側の残響室で測定した。音源室では、粉砕機から１ｍ、高さ１．２ｍで測定し、受音室では、粉砕機に一番近い壁から１ｍ、高さ１．２ｍで測定した。結果を表１に示す。
【００７９】
実施例２
図２に示すような流し台を製造した。この流し台１３では、図１の流し台に追加して、粉砕機３と配管４とを囲う防音箱１４が設けられている。この箱１４は、内側から外に向かって、不織布１５、穴あきゴムシート１６、不織布１７、穴あき石膏ボード１８、不織布１９、ブチルゴムシート２０、石膏ボード２１となっている。
【００８０】
防音箱１４の下部には、流し台の底板２２の上に、ダンボールの仕切り２３が設けられ、その中に共鳴器２４が設置されている。この流し台１３の内部の上部には、下から上に向かって、石膏ボード２５、非加硫ゴムシート２６、石膏ボード２７、ポリエチレン発泡体シート２８が積層された板状体２９がある。板状体２９とシンク２と流し台本体で囲われた区画に共鳴器３０が設けてある。
【００８１】
この例では、完全密封型の遮音蓋３１を用い、給水管３２を厨芥粉砕機に直接設けた。
【００８２】
この例では、防音箱は、具体的に、粉砕機側から、５ｍｍ径と１０ｍｍ径の混在有孔石膏ボード１２．５ｍｍ厚と不織布５０ｍｍ厚とブチルゴム２ｍｍ厚貼り石膏ボード１２．５ｍｍ厚で作り、内部は両面に不織布を貼った穴あきシートを設けた。穴あきシートは比重１．８の２ｍｍ厚ブチルゴムシートで１０ｃｍ間隔で縦横の格子状の線を引き、その交点に比重２．３、２０ｍｍ角１０ｍｍ厚のゴムを貼り、その中央に１０ｍｍ径の穴をブチルゴムシートまで貫通させた。次に前記シートの両側に２０ｍｍ厚不織布と３０ｍｍ厚不織布を貼り、２０ｍｍ厚不織布を箱の内側面の有孔石膏ボードに固定した。
【００８３】
板状体は、１２．５ｍｍ厚石膏ボード２枚の間に１．５ｍｍ制振シートを各々の石膏ボードに貼り付けて作成した。また、シンク裏面と接する面に、ポリエチレン２０倍発泡体シート３ｍｍ厚を設けた。
【００８４】
シンク裏面と天板と流し台本体で区画された中に設ける共鳴器は、合板で内寸１００ｍｍ×１００ｍｍ×１５０ｍｍとし、穴径１０ｍｍ、穴の首の長さ３６ｍｍとし、四カ所に設けた。また、流し台の底板に設ける共鳴器は、底面石膏ボード上に２ｍｍ厚ブチルゴムシートを貼り、その上にダンボール紙で５．５ｃｍ角、高さ５ｃｍの格子を組み、その中に、容積５４０ｃｃのビンを入れ、中央に５ｍｍ径の長さ３０ｍｍ貫通穴をあけたゴム栓３３をした。
【００８５】
この例の流し台について、実施例１と同様にして騒音測定した。結果を表１に示す。
【００８６】
実施例３
図３及び４に示すような流し台を製造した。この流し台３４は、図２に示す流し台において、遮音蓋を図１の遮音蓋に変えて、粉砕機３と配管４とを囲む防音箱１４と、この防音箱１４内の防音処理とを取り除き、厨芥粉砕区画の底板２２上に、石膏ボード３５を設け、背板３６、仕切板３７、流し台の側面板３８の内側に、区画の内側から、不織布３９、ブチルゴムシート４０、石膏ボード４１を積層し、四隅に三角柱状共鳴器４２を設けている。
【００８７】
厨芥粉砕区画の底板には、石膏ボード１２．５ｍｍ厚を用い、背板と、仕切板と、流し台本体の側面板の内側には、石膏ボード１２．４ｍｍ厚、ブチルゴムシート２ｍｍ厚、不織布２０ｍｍを設けた。四隅に設けた共鳴器は、断面が直角二等辺三角形の空洞を持つ三角柱型であり、粉砕機を向いた面に穴をあけ、その穴に、内径１０ｍｍ、長さ５０ｍｍのゴムホース４３を固定した。
【００８８】
この例の流し台について、実施例１と同様にして騒音測定した。結果を表１に示す。
【００８９】
実施例４
図５に示すような流し台を製造した。この流し台４４は、図３と同様の縦断面を有しているが、図３の流し台の背面に、図５に示すように、更に、１０ｍｍ厚の不織布４５、２ｍｍ厚のブチルゴムシート４６、１２．５ｍｍ厚の全面石膏ボード４７を貼り積層し、石膏ボード４７を外に向けて取付け、壁から３ｍｍ離して設置した。
【００９０】
この例の流し台について、実施例１と同様にして騒音測定した。結果を表１に示す。
【００９１】
実施例５
図６に示すような流し台を製造した。この流し台４８では、流し台の底板４９の下の空間を利用して、多数の共鳴器５０が設けられている。厨芥排出部の遮音蓋は、図５のものと同じである。図５に示す流し台から、仕切板、背板、側面板に設けた吸音材、ブチルゴムシート、石膏ボードを除いている。
【００９２】
この例の底板４９は、多数の貫通穴５１を有しており、多数の共鳴器５０を形成している。厨芥粉砕区画の底板４９を支持する支持体５２を１２ｍｍ厚の合板で、高さ１００ｍｍ、１５０ｍｍ角の格子として形成した。支持体５２の下部全面を１２．５ｍｍ厚の石膏ボード５３でネジと接着剤で固定し、底板４９を１２ｍｍ厚の合板として、ネジと接着剤で固定し、各格子の中央に貫通穴５１をあけ、その穴５１に、内径１０ｍｍで、長さ２０ｍｍ、４０ｍｍ、６０ｍｍのいずれかのゴムパイプをランダムに組合せて、底板４９の下に長く延びるように固定し、多数の共鳴器５０を底板４９の下に形成した。
【００９３】
流し台背面全面の防音処理と遮音蓋は、実施例４と同じとし、厨芥粉砕区画の背面、左の仕切板、右の流し台本体の側面板には何も設けなかった。区画四隅の三角柱共鳴器と板状体とその上の共鳴器はそのまま残しておいた。
【００９４】
この例の流し台について、実施例１と同様にして騒音測定した。その結果を、表１に示す。
【００９５】
実施例６
図７及び図８に示すような流し台を製造した。この流し台５４では、給水は、図２の流し台と同様に、給水配管３２によって直接に厨芥粉砕機３内に行う。粉砕機３は、吸音材５５とブチルゴムシート５６とでラギング処理をしている。図６と同様に、底板４９の下のスペースに共鳴器５０を多数設けている。
【００９６】
この例では、実施例２と同様に、完全密封型の遮音蓋を用い、実施例５の流し台から、板状体とその上の共鳴器を取り、その他は実施例５と同じとした。粉砕機３の外周全面に設ける吸音材には、３０ｍｍ厚の不織布を用い、２ｍｍ厚のブチルゴムシートを積層し、得られたシートで粉砕機３をラギング処理した。
【００９７】
この例の流し台について、実施例１と同様にして騒音測定した。結果を表１に示す。
【００９８】
比較例１
流し台本体及び粉砕機に、何も防音処理をしていない状態にして、各実施例と同様、鳥骨１００ｇを粉砕機に入れ、水道水を８ｌ／分給水しながら粉砕した時の音を音源室と受音室にて騒音測定した。結果を表１に示す。
【００９９】
【表１】
0003566609.tif 000003
【０１００】
以下、表１を参照して、実施例及び比較例の騒音測定結果を説明する。  実施例１は、流し台シンクに制振処理を行い、シンクと流し台の間に吸音処理を行い、シンク排出口と粉砕機の間と排水トラップと排水管の間に、筒状振動絶縁材を用いた例である。音源室では充分ではないが、騒音が大きく低減している。受音室では大きく改善され供用できるレベルである。
【０１０１】
実施例２は、実施例１に対し、更に粉砕機と配管を囲う箱を設け、その箱の中に遮音材、吸音材、共鳴器を設けて防音処理をし、厨芥粉砕区画とシンク下面とを板状体で仕切り、その区画に共鳴器を設けた例である。その結果、騒音はさらに大きく改善され、受音室では全く問題のないレベルが得られている。
【０１０２】
実施例３は、実施例２で用いた粉砕機と配管を囲う箱を取り、粉砕機設置区画の底板、背板、仕切板、流し台側面板を防音処理し、天板で仕切られた区画の四隅に共鳴器を設けた例である。その結果、比較例１と比べ大きく改善され、受音室の結果からして隣戸へ迷惑をかけないレベルである。
【０１０３】
実施例４は、実施例３に対し、更に流し台背面全面を防音処理したものである。音源室でもかなり静かになっており、受音室では全く問題がないレベルとなっている。
【０１０４】
実施例５は、厨芥粉砕区画の底板とその下部を利用して、共鳴器を多数設置した例であり、実施例４から、厨芥粉砕区画の背面、左の仕切板、右の流し台本体側面に設けた防音処理を取った例である。その結果、低周波側がさらに改善された。また、受音室でも全く問題のないレベルになっている。
【０１０５】
実施例６は、実施例５から天板とその上の共鳴器を取り、粉砕機の全周をラギング処理した例である。実施例５とほぼ同等の性能となっており、音源室も静かである。受音室は全く問題のないレベルである。
【０１０６】
以上より何れの実施例も比較例より大きく改善でき、改善しにくい低周波音の対策もできることが判った。
【０１０７】
【発明の効果】
音源・振動源である粉砕機の振動音を低減し、第二次音源となるシンクからの放射音も防止でき、隣人に音や振動で迷惑をかけず、厨芥を衛生的に手間をかけずに処理できる。さらに、シンク排出口の遮音蓋をセットして初めて粉砕機が作動するので、使用者による騒音発生の差がなく、安全で効率的に厨芥処理をすることができる。
【図面の簡単な説明】
【図１】本発明の一例の流し台の縦断面図である。
【図２】本発明の他の例の流し台の縦断面図である。
【図３】本発明の更に他の例の流し台の縦断面図である。
【図４】図３の流し台のＡ−Ａ線横断面図である。
【図５】本発明の更に他の例の流し台の横断面図である。
【図６】本発明の更に他の例の流し台の縦断面図である。
【図７】本発明の更に他の例の流し台の縦断面図である。
【図８】図７の流し台のＢ−Ｂ線横断面図である。
【符号の説明】
１，１３，３４，４４，４８，５４  流し台
２  シンク
２ａ  厨芥排出部
３  厨芥粉砕機
４  配管
５  制振材
６  筒状振動絶縁ゴム
７  遮音蓋
８  トラップ
９，３２  給水管
１０，５５  吸音材
１１  振動絶縁ゴム
１２  床
１４  防音箱
１５，１７，１９，３９，４５  不織布
１６  穴あきゴムシート
１８  穴あき石膏ボード
２０，４０，４６，５６  ブチルゴムシート
２１，２５，２７，３５，４１，４７，５３  石膏ボード
２２，４９  底板
２３  仕切り
２４，３０，４２，５０  共鳴器
２６  非加硫ゴムシート
２８  ポリエチレン発泡体シート
２９  板状体
３１  遮音蓋
３３  ゴム栓
３６  背板
３７  仕切板
３８  側面板
４３  ゴムホース
５１  貫通穴
５２  支持体
【図１】
0003566609.tif 000004
【図２】
0003566609.tif 000005
【図３】
0003566609.tif 000006
【図４】
0003566609.tif 000007
【図５】
0003566609.tif 000008
【図６】
0003566609.tif 000009
【図７】
0003566609.tif 000010
【図８】
0003566609.tif 000011